【手続補正書】
【提出日】平成25年3月19日(2013.3.19)
【手続補正１】
【補正対象書類名】特許請求の範囲
【補正対象項目名】全文
【補正方法】変更
【補正の内容】
【特許請求の範囲】
【請求項１】
ハウジング入口を介して液体水素を流入させるように構成されたポンプハウジングと、
前記液体水素を気化して水素ガスにし、前記ポンプハウジング内の前記水素ガスの圧力を高めるように構成された加熱機構と
を備え、
前記ポンプハウジングが、前記水素ガスが所定の圧力に達するときにハウジング出口を通って前記水素ガスを放出するように構成されており、
前記ポンプハウジングが、前記ハウジング出口を閉じ、前記ポンプハウジングから残留水素ガスを排出することにより、前記ハウジング入口を通って更なる液体水素が前記ポンプハウジングに流入できるように構成されている、
水素ポンプ。
【請求項２】
前記ハウジング入口に接続され、かつ前記液体水素を貯蔵するように構成された供給タンクを更に備える、請求項１に記載の水素ポンプ。
【請求項３】
前記ハウジング入口に接続され、かつ開くことにより前記液体水素を前記ポンプハウジングに流入させるように動作する入口バルブを更に備え、前記入口バルブが、前記液体水素が記ポンプハウジング内で満タン液位に前達すると閉じるように動作する、請求項１に記載の水素ポンプ。
【請求項４】
前記入口バルブが、前記液体水素が空液位を下回ると開くように動作する、請求項１に記載の水素ポンプ。
【請求項５】
前記ポンプハウジングと前記供給タンクとの間に延在して、前記ポンプハウジングから残留水素ガスを排出する排出管を更に備える、請求項１に記載の水素ポンプ。
【請求項６】
水素をポンプ輸送する方法であって、
液体水素をポンプハウジングに流入させる工程と、
前記ポンプハウジング内で前記液体水素を気化して水素ガスにする工程と、
所定の圧力に達するときに、前記水素ガスを前記ポンプハウジングから放出する工程と、
残留水素ガスを前記ポンプハウジングから排出することにより、更なる液体水素を前記ポンプハウジングに流入させる工程と
を含む方法。
【請求項７】
前記液体水素を気化する前に、前記ポンプハウジングを密閉する工程を更に含む、請求項６に記載の方法。
【請求項８】
前記液体水素を前記ポンプハウジング内で加熱して、前記ポンプハウジング内の前記水素ガスの圧力を高める工程を更に含む、請求項６に記載の方法。
【請求項９】
前記液体水素を供給タンクから流入させ、残留水素ガスを前記ポンプハウジングから排出する前記工程では：
前記残留水素ガスを供給タンクに排出して前記ポンプハウジング内の圧力を下げることにより、更なる液体水素を前記ポンプハウジングに流入させる、
請求項６に記載の方法。
【請求項１０】
前記残留水素ガスを排出する前記工程では、前記残留水素ガスを前記ポンプハウジングから排出する前に、前記水素ガスに混入する液体水素の液滴を除去する、請求項６に記載の方法。
【手続補正２】
【補正対象書類名】明細書
【補正対象項目名】００５２
【補正方法】変更
【補正の内容】
【００５２】
本開示の更に別の変形及び改善は、この技術分野の当業者には明らかである。従って、本明細書において記載され、かつ例示される構成要素群の特定の組み合わせは、本開示の特定の実施形態を表わしているに過ぎず、本開示の思想及び範囲に含まれる別の実施形態またはデバイスを限定するために利用されるべきではない。
また、本願は以下に記載する態様を含む。
（態様１）
ハウジング入口を介して液体水素を流入させるように構成されたポンプハウジングと、
前記液体水素を気化して水素ガスにし、前記ポンプハウジング内の前記水素ガスの圧力を高めるように構成された加熱機構と
を備え、
前記ポンプハウジングが、前記水素ガスが所定の圧力に達するときにハウジング出口を通って前記水素ガスを放出するように構成されており、
前記ポンプハウジングが、前記ハウジング出口を閉じ、前記ポンプハウジングから残留水素ガスを排出することにより、前記ハウジング入口を通って更なる液体水素が前記ポンプハウジングに流入できるように構成されている、
水素ポンプ。
（態様２）
前記ハウジング入口に接続され、かつ前記液体水素を貯蔵するように構成された供給タンクを更に備える、態様１に記載の水素ポンプ。
（態様３）
前記ハウジング入口に接続され、かつ開くことにより前記液体水素を前記ポンプハウジングに流入させるように動作する入口バルブを更に備え、前記入口バルブが、前記液体水素が記ポンプハウジング内で満タン液位に前達すると閉じるように動作する、態様１に記載の水素ポンプ。
（態様４）
前記入口バルブが、前記液体水素が空液位を下回ると開くように動作する、態様１に記載の水素ポンプ。
（態様５）
前記ポンプハウジングと前記供給タンクとの間に延在して、前記ポンプハウジングから残留水素ガスを排出する排出管を更に備える、態様１に記載の水素ポンプ。
（態様６）
液体水素を貯蔵するように構成された供給タンクと、
前記供給タンクに接続され、かつ前記液体水素を前記供給タンクから流入させるように構成されたポンプハウジングと、
前記供給タンクと前記ポンプハウジングとの間に配置された入口バルブと、
前記液体水素を前記ポンプハウジング内で気化して水素ガスにし、前記水素ガスの圧力を高めるように構成された加熱機構と、
開くことにより、前記ポンプハウジング内の圧力が所定値に達するときに前記ポンプハウジングから前記水素ガスが放出されるように構成された流量制御バルブであって、前記ポンプハウジング内の前記液体水素が空液位を下回ると閉じるように構成された前記流量制御バルブと、
前記ポンプハウジングと前記供給タンクとの間に延在する排出管と、
前記排出管に取り付けられ、かつ前記ポンプハウジングから前記供給タンクに残留水素ガスを排出して、前記ポンプハウジング内の圧力を低下させることにより、前記供給タンクから液体水素を流出させて前記ポンプハウジングに流入させるように構成された排出バルブと
を備える受動水素ポンプ。
（態様７）
前記ポンプハウジングに接続されて、前記ポンプハウジング内の前記液体水素の充填液位を検出するように構成された満タンセンサ及び空センサのうちの少なくとも１つを更に備える、態様６に記載の水素ポンプ。
（態様８）
前記入口バルブと前記供給タンクとの間に配置される中間セクションを更に備え、
前記ポンプハウジングが、前記ポンプハウジング内の前記液体水素が前記空液位を下回って、前記ポンプハウジング内の水素ガスが前記中間セクションに流入して前記液体水素と混合するときに、前記ハウジング入口を開くように構成されている、
態様６に記載の水素ポンプ。
（態様９）
前記排出管から前記供給タンクに放出される水素ガスの速度を低下させるように構成されたディフューザを更に備える、態様６に記載の水素ポンプ。
（態様１０）
水素をポンプ輸送する方法であって、
液体水素をポンプハウジングに流入させる工程と、
前記ポンプハウジング内で前記液体水素を気化して水素ガスにする工程と、
所定の圧力に達するときに、前記水素ガスを前記ポンプハウジングから放出する工程と、
残留水素ガスを前記ポンプハウジングから排出することにより、更なる液体水素を前記ポンプハウジングに流入させる工程と
を含む方法。
（態様１１）
前記液体水素を気化する前に、前記ポンプハウジングを密閉する工程を更に含む、態様１０に記載の方法。
（態様１２）
前記液体水素を前記ポンプハウジング内で加熱して、前記ポンプハウジング内の前記水素ガスの圧力を高める工程を更に含む、態様１０に記載の方法。
（態様１３）
前記液体水素を供給タンクから流入させ、残留水素ガスを前記ポンプハウジングから排出する前記工程では：
前記残留水素ガスを供給タンクに排出して前記ポンプハウジング内の圧力を下げることにより、更なる液体水素を前記ポンプハウジングに流入させる、
態様１０に記載の方法。
（態様１４）
前記残留水素ガスを排出する前記工程では、前記残留水素ガスを前記ポンプハウジングから排出する前に、前記水素ガスに混入する液体水素の液滴を除去する、態様１０に記載の方法。
（態様１５）
前記ポンプハウジングが、前記供給タンクをハウジング入口に流体接続する中間セクションを含み、前記中間セクションが液体水素を収容するように構成され、前記方法が、
前記ポンプハウジング内の前記液体水素が空液位を下回ることにより、前記ポンプハウジング内の水素ガスが前記中間セクションに流入して、前記液体水素と前記中間セクション内で混合するときに、前記ハウジング入口を開く工程を更に含む、態様１０に記載の方法。